(57)【要約】【課題】厚さ方向の寸法の増大を回避し、明瞭な画像の読み取りを行うのに適したイメージセンサモジュールを提供する。【解決手段】主走査方向ｘに延びる線状光を出射する光源ユニット２００と、方向ｘに直角な副走査方向ｙに沿う光軸を有するレンズユニット４００と、レンズユニット４００の透過光を受光するセンサＩＣ５００と、光源ユニット２００、レンズユニット４００、センサＩＣ５００を収容し、原稿Ｄｃからの反射光をレンズユニット４００に向けて反射させる反射面７２１を有する収容体７００と、を備え、光源ユニット２００とレンズユニット４００とは、方向ｘ，ｙの両方に直角な方向ｚにおいて並び、収容体７００は、方向ｚにおいて原稿Ｄｃ寄りに位置し、かつ原稿Ｄｃからの反射光を内部に入射させる開口部７０１を有し、反射面７２１は、レンズユニット２００から方向ｙの一方ｙ１側に離れるほど方向ｚにおいて原稿Ｄｃに近づく。【選択図】図３
2015103843.tif 000002
【特許請求の範囲】
【請求項１】
主走査方向に延びる線状光を出射する光源ユニットと、
主走査方向に対して直角である第１方向に沿う光軸を有するレンズユニットと、
上記レンズユニットを透過した光を受光するセンサＩＣと、
上記光源ユニット、上記レンズユニット、および上記センサＩＣを収容するとともに、読み取り対象物によって反射された光を上記レンズユニットに向けて反射させるための第１反射面を有する収容体と、を備え、
上記光源ユニットと上記レンズユニットとは、主走査方向および上記第１方向のいずれに対しても直角である第２方向において並んで配置されており、
上記収容体は、上記第２方向において上記第１反射面よりも上記読み取り対象物寄りに位置し、かつ上記読み取り対象物によって反射された光を内部に入射させる開口部を有し、
上記第１反射面は、上記レンズユニットから上記第１方向一方側に離れるほど上記第２方向において上記読み取り取り対象物に近づくように、上記第２方向に直交する面に対して傾斜していることを特徴とする、イメージセンサモジュール。
【請求項２】
上記収容体は、上記光源ユニット、上記レンズユニット、および上記センサＩＣを収容するケースと、上記ケースに対して固定されており、上記第１反射面を有し主走査方向に延びる板状の第１反射鏡と、を備える、請求項１に記載のイメージセンサモジュール。
【請求項３】
上記第１反射鏡における上記第１反射面と反対側の面は、上記ケースの外部に露出している、請求項２に記載のイメージセンサモジュール。
【請求項４】
上記ケースに対して固定されており、主走査方向に延びて上記開口部を覆う透明板を備える、請求項２または３に記載のイメージセンサモジュール。
【請求項５】
上記光源ユニットは、上記第２方向において上記レンズユニットよりも上記読み取り対象物から近い位置にある、請求項４に記載のイメージセンサモジュール。
【請求項６】
上記レンズユニットの少なくとも一部は、上記第２方向視において上記第１反射鏡と重なっている、請求項５に記載のイメージセンサモジュール。
【請求項７】
上記透明板は、上記光源ユニットから上記第１方向一方側に離れるほど上記第２方向において上記読み取り対象物から離れるように、上記第２方向に直交する面に対して傾斜している、請求項５または６に記載のイメージセンサモジュール。
【請求項８】
上記第１反射鏡における上記第１方向一方側の端部と、上記透明板における上記第１方向一方側の端部とは、当接している、請求項７に記載のイメージセンサモジュール。
【請求項９】
主走査方向視において、上記第１反射鏡と上記透明板とのなす角度は鋭角である、請求項８に記載のイメージセンサモジュール。
【請求項１０】
上記レンズユニットの全体は、上記第２方向視において上記透明板と重なっている、請求項９に記載のイメージセンサモジュール。
【請求項１１】
上記光源ユニットは、上記第２方向において上記レンズユニットよりも上記読み取り対象物から離れた位置にある、請求項４に記載のイメージセンサモジュール。
【請求項１２】
上記第１反射面は、上記光源ユニットから発せられる光を上記読み取り対象物に向かって反射させる、請求項１１に記載のイメージセンサモジュール。
【請求項１３】
上記レンズユニットの少なくとも一部は、上記第２方向視において上記第１反射鏡と重なっている、請求項１１または１２に記載のイメージセンサモジュール。
【請求項１４】
上記収容体は、上記光源ユニットから発せられる光を上記読み取り対象物に向かって反射させる、第２反射面をさらに備える、請求項１１に記載のイメージセンサモジュール。
【請求項１５】
上記収容体は、上記ケースに対して固定されており、上記第２反射面を有し主走査方向に延びる板状の第２反射鏡を備える、請求項１４に記載のイメージセンサモジュール。
【請求項１６】
上記第２反射鏡における上記第２反射面と反対側の面は、上記ケースの外部に露出している、請求項１５に記載のイメージセンサモジュール。
【請求項１７】
上記第２反射面は、上記光源ユニットから上記第１方向一方側に離れるほど上記第２方向において上記読み取り取り対象物に近づくように、上記第２方向に直交する面に対して傾斜しており、
上記第２方向の直交面に対する上記第２反射面の傾斜角度は、上記第２方向の直交面に対する上記第１反射面の傾斜角度よりも小さい、請求項１４ないし１６のいずれかに記載のイメージセンサモジュール。
【請求項１８】
上記第２反射面は、上記第２方向において上記第１反射面よりも上記読み取り対象物から離れた位置にあり、上記第１方向一方側において上記第１反射面と当接する、請求項１７に記載のイメージセンサモジュール。
【請求項１９】
上記レンズユニットの少なくとも一部は、上記第２方向視において上記第２反射面と重なっている、請求項１７または１８に記載のイメージセンサモジュール。
【請求項２０】
上記透明板は、上記第２方向に対して直角である、請求項１１ないし１９のいずれかに記載のイメージセンサモジュール。
【請求項２１】
上記第１反射鏡における上記第１方向一方側の端部と、上記透明板における上記第１方向一方側の端部とは、当接している、請求項２０に記載のイメージセンサモジュール。
【請求項２２】
上記センサＩＣが搭載された基板を備えており、
上記光源ユニットは、ＬＥＤチップ、上記ＬＥＤチップが搭載されたリード、および上記リードの一部を覆い、かつ上記ＬＥＤチップを露出させるＬＥＤ用開口部が形成されたＬＥＤケース、を備え、上記リードは、上記第１方向他方側に向かって上記ＬＥＤケースから突出するとともに上記基板に接続される端子部、を有し、上記基板に搭載されたＬＥＤモジュールと、
全体として主走査方向に延びており、主走査方向において上記ＬＥＤチップに正対する入射面、主走査方向に延びており上記入射面から進行してきた光を反射する反射面、および上記反射面から進行してきた光を主走査方向に延びる線状光として出射する出射面、を有する導光体と、を備える、請求項１ないし２１のいずれかに記載のイメージセンサモジュール。
【発明の詳細な説明】
【技術分野】
【０００１】
本発明は、イメージセンサモジュールに関する。
【背景技術】
【０００２】
読み取り対象物に記載された内容を画像データとして読み取るために、イメージセンサモジュールが広く用いられている。イメージセンサモジュールは、たとえばドキュメントスキャナに用いられ、副走査方向に相対移動する読み取り対象物の記載内容を画像データとして読み取るためのものである。このようなイメージセンサモジュールにおいて、主走査方向に延びる線状光を読み取り対象物に向けて出射し、その反射光をセンサＩＣによって受光するように構成される（たとえば特許文献１を参照）。
【０００３】
特許文献１に開示されたイメージセンサは、同文献の図１、図２等に表れているように、ＬＥＤモジュールと、導光体と、レンズユニットと、センサＩＣと、透明板と、これらを支持するケースと、を備えている。ケースは、副走査方向および厚さ方向に垂直である主走査方向に延びる細長状である。ＬＥＤモジュールは、ケースの主走査方向一端寄りに配置されている。導光体は、ＬＥＤモジュールからの光を主走査方向に延びる線状光として読み取り対象物に向けて出射するためのものであり、主走査方向に延びる細長状とされている。導光体から出射された光は、透明板上に置かれた読み取り対象物に照射され、読み取り対象物によって反射される。この反射光は、レンズユニットを透過してセンサＩＣへと集光される。レンズユニットの光軸は、ケースの厚さ方向に沿っている。センサＩＣは、読み取り対象物に対して、ケースの厚さ方向に離れて正対する位置にある。センサＩＣは、受けた光の光量に応じた信号を出力し、当該信号をメモリに蓄えることにより、読み取り対象物の記載内容を画像として読み取ることができる。
【０００４】
読み取り対象物に折り目やしわがあると、読み取り対象物が透明板から浮き上がりやすくなる。このような状態において読み取り対象物の記録内容をセンサＩＣに結像させるためには、読み取り対象物からセンサＩＣに至る光路を長くすることが有利である。しかしながら、光路延長を目的としてセンサＩＣをレンズユニットから遠ざけると、ケース（イメージセンサモジュール）の厚さ方向寸法が大きくなってしまう。このようなことでは、たとえばドキュメントスキャナにイメージセンサモジュールを適切に収容するのが困難になる。
【先行技術文献】
【特許文献】
【０００５】
【特許文献１】特開２００７−３００５３６号公報
【発明の概要】
【発明が解決しようとする課題】
【０００６】
本発明は、上記した事情のもとで考え出されたものであって、厚さ方向の寸法が増大するのを回避しつつ、明瞭な画像の読み取りを行うのに適したイメージセンサモジュールを提供することを課題とする。
【課題を解決するための手段】
【０００７】
本発明によって提供されるイメージセンサモジュールは、主走査方向に延びる線状光を出射する光源ユニットと、主走査方向に対して直角である第１方向に沿う光軸を有するレンズユニットと、上記レンズユニットを透過した光を受光するセンサＩＣと、上記光源ユニット、上記レンズユニット、および上記センサＩＣを収容するとともに、読み取り対象物によって反射された光を上記レンズユニットに向けて反射させるための第１反射面を有する収容体と、を備え、上記光源ユニットと上記レンズユニットとは、主走査方向および上記第１方向のいずれに対しても直角である第２方向において並んで配置されており、上記収容体は、上記第２方向において上記第１反射面よりも上記読み取り対象物寄りに位置し、かつ上記読み取り対象物によって反射された光を内部に入射させる開口部を有し、上記第１反射面は、上記レンズユニットから上記第１方向一方側に離れるほど上記第２方向において上記読み取り取り対象物に近づくように、上記第２方向に直交する面に対して傾斜していることを特徴としている。
【０００８】
本発明の好ましい実施の形態においては、上記収容体は、上記光源ユニット、上記レンズユニット、および上記センサＩＣを収容するケースと、上記ケースに対して固定されており、上記第１反射面を有し主走査方向に延びる板状の第１反射鏡と、を備える。
【０００９】
本発明の好ましい実施の形態においては、上記第１反射鏡における上記第１反射面と反対側の面は、上記ケースの外部に露出している。
【００１０】
本発明の好ましい実施の形態においては、上記ケースに対して固定されており、主走査方向に延びて上記開口部を覆う透明板を備える。
【００１１】
本発明の好ましい実施の形態においては、上記光源ユニットは、上記第２方向において上記レンズユニットよりも上記読み取り対象物から近い位置にある。
【００１２】
本発明の好ましい実施の形態においては、上記レンズユニットの少なくとも一部は、上記第２方向視において上記第１反射鏡と重なっている。
【００１３】
本発明の好ましい実施の形態においては、上記透明板は、上記光源ユニットから上記第１方向一方側に離れるほど上記第２方向において上記読み取り対象物から離れるように、上記第２方向に直交する面に対して傾斜している。
【００１４】
本発明の好ましい実施の形態においては、上記第１反射鏡における上記第１方向一方側の端部と、上記透明板における上記第１方向一方側の端部とは、当接している。
【００１５】
本発明の好ましい実施の形態においては、主走査方向視において、上記第１反射鏡と上記透明板とのなす角度は鋭角である。
【００１６】
本発明の好ましい実施の形態においては、上記レンズユニットの全体は、上記第２方向視において上記透明板と重なっている。
【００１７】
本発明の好ましい実施の形態においては、上記光源ユニットは、上記第２方向において上記レンズユニットよりも上記読み取り対象物から離れた位置にある。
【００１８】
本発明の好ましい実施の形態においては、上記第１反射面は、上記光源ユニットから発せられる光を上記読み取り対象物に向かって反射させる。
【００１９】
本発明の好ましい実施の形態においては、上記レンズユニットの少なくとも一部は、上記第２方向視において上記第１反射鏡と重なっている。
【００２０】
本発明の好ましい実施の形態においては、上記収容体は、上記光源ユニットから発せられる光を上記読み取り対象物に向かって反射させる、第２反射面をさらに備える。
【００２１】
本発明の好ましい実施の形態においては、上記収容体は、上記ケースに対して固定されており、上記第２反射面を有し主走査方向に延びる板状の第２反射鏡を備える。
【００２２】
本発明の好ましい実施の形態においては、上記第２反射鏡における上記第２反射面と反対側の面は、上記ケースの外部に露出している。
【００２３】
本発明の好ましい実施の形態においては、上記第２反射面は、上記光源ユニットから上記第１方向一方側に離れるほど上記第２方向において上記読み取り取り対象物に近づくように、上記第２方向に直交する面に対して傾斜しており、上記第２方向の直交面に対する上記第２反射面の傾斜角度は、上記第２方向の直交面に対する上記第１反射面の傾斜角度よりも小さい。
【００２４】
本発明の好ましい実施の形態においては、上記第２反射面は、上記第２方向において上記第１反射面よりも上記読み取り対象物から離れた位置にあり、上記第１方向一方側において上記第１反射面と当接する。
【００２５】
本発明の好ましい実施の形態においては、上記レンズユニットの少なくとも一部は、上記第２方向視において上記第２反射面と重なっている。
【００２６】
本発明の好ましい実施の形態においては、上記透明板は、上記第２方向に対して直角である。
【００２７】
本発明の好ましい実施の形態においては、上記第１反射鏡における上記第１方向一方側の端部と、上記透明板における上記第１方向一方側の端部とは、当接している。
【００２８】
本発明の好ましい実施の形態においては、上記センサＩＣが搭載された基板を備えており、上記光源ユニットは、ＬＥＤチップ、上記ＬＥＤチップが搭載されたリード、および上記リードの一部を覆い、かつ上記ＬＥＤチップを露出させるＬＥＤ用開口部が形成されたＬＥＤケース、を備え、上記リードは、上記第１方向他方側に向かって上記ＬＥＤケースから突出するとともに上記基板に接続される端子部、を有し、上記基板に搭載されたＬＥＤモジュールと、全体として主走査方向に延びており、主走査方向において上記ＬＥＤチップに正対する入射面、主走査方向に延びており上記入射面から進行してきた光を反射する反射面、および上記反射面から進行してきた光を主走査方向に延びる線状光として出射する出射面、を有する導光体と、を備える。
【００２９】
本発明のその他の特徴および利点は、添付図面を参照して以下に行う詳細な説明によって、より明らかとなろう。
【図面の簡単な説明】
【００３０】
【図１】本発明に係るイメージセンサモジュールの第１実施形態を示す平面図である。
【図２】図１に示すイメージセンサモジュールの正面図である。
【図３】図１のＩＩＩ−ＩＩＩ線に沿う断面図である。
【図４】図２のＩＶ−ＩＶ線に沿う要部断面図である。
【図５】図１に示すイメージセンサモジュールの作用を説明するための図３と同様の断面図である。
【図６】本発明に係るイメージセンサモジュールの第２実施形態を示す図３と同様の断面図である。
【図７】図６に示すイメージセンサモジュールの作用を説明するための図３と同様の断面図である。
【図８】本発明に係るイメージセンサモジュールの第３実施形態を示す図３と同様の断面図である。
【図９】図８に示すイメージセンサモジュールの作用を説明するための図３と同様の断面図である。
【図１０】本発明に係るイメージセンサモジュールの第４実施形態を示す図３と同様の断面図である。
【発明を実施するための形態】
【００３１】
以下、本発明の好ましい実施の形態につき、図面を参照して具体的に説明する。
【００３２】
図１〜図４は、本発明係るイメージセンサモジュールの第１実施形態を示している。本実施形態のイメージセンサモジュール１０１は、光源ユニット２００、レンズユニット４００、センサＩＣ５００、基板６００、収容体７００、および透明板８００を備えている。イメージセンサモジュール１０１は、たとえばドキュメントスキャナに組み込まれることにより、読み取り対象物Ｄｃの画像を画像データとして読み取るために用いられる。
【００３３】
収容体７００は、イメージセンサモジュール１０１の外形を構成し、その他の構成要素を収容している。本実施形態において、収容体７００は、ケース７１０と、このケース７１０に対して固定される反射鏡７２０とを備えている。図１および図２に示すように、ケース７１０は、主走査方向ｘに長く延びており、副走査方向ｙ（第１方向）および厚さ方向ｚ（主走査方向ｘおよび副走査方向ｙのいずれに対しても直角である方向：第２方向）によって規定される断面形状が、概略矩形状とされている。ケース７１０の材質としては、たとえば液晶ポリマ樹脂が挙げられる。
【００３４】
収容体７００には、主走査方向ｘに延びる開口部７０１が形成されている（図３参照）。開口部７０１は、厚さ方向ｚにおいて反射鏡７２０（後述の反射面７２１）よりも読み取り対象物Ｄｃ寄り（図３における図中上寄り）に位置している。開口部７０１は、光源ユニット２００からの光を読み取り対象物Ｄｃに向けて収容体７００の外部に出射させ、かつ読み取り対象物Ｄｃによって反射された光を収容体７００の内部に入射させる部分である。
【００３５】
基板６００は、主走査方向ｘを長手方向、ケース７１０の厚さ方向ｚを短手方向とする長矩形板状とされている。基板６００は、たとえばセラミックス、ガラスエポキシ樹脂などの絶縁材料と、この絶縁材料上に形成された配線パターン（図示略）とからなる。基板６００は、ケース７１０の基板収容部７１１に収容されており、ケース７１０に対してたとえば接着剤によって固定されている。図３に示すように、基板６００には、センサＩＣ５００が搭載されている。
【００３６】
光源ユニット２００は、イメージセンサモジュール１０１による画像読み取りに必要な線状光を発するユニットであり、図３および図４に示すように、ＬＥＤモジュール２１０、導光体２７０、およびリフレクタ２８０を具備している。図３に示すように、本実施形態では、光源ユニット２００は、厚さ方向ｚにおいてレンズユニット４００よりも読み取り対象物Ｄｃから近い位置にある。
【００３７】
ＬＥＤモジュール２１０は、図４に示すように、ケース７１０の主走査方向ｘの一方端において基板６００に搭載されており、リード２２０、ＬＥＤケース２３０、および３つのＬＥＤチップ２４０を具備して構成されている。リード２２０は、３つのＬＥＤ２４０を支持し、これらに電流を流すためのものであり、たとえばＣｕ合金などの金属からなる。図３、図４に表れているように、リード２２０は、ダイボンディング部２２１および複数の端子部２２２を有する。ダイボンディング部２２１は、リード２２０のほぼ中央に位置し、３つのＬＥＤチップ２４０がダイボンディングされる。各端子部２２２は、ＬＥＤケース２３０から突出して副走査方向一方ｙ１側に向けて延びており、基板６００に対してＬＥＤモジュール２１０を取り付けるために用いられる。ＬＥＤケース２３０は、略矩形状であり、たとえば白色樹脂からなる。ＬＥＤケース２３０は、リード２２０を部分的に覆っている。ＬＥＤケース２３０には、ＬＥＤ用開口部２３１が形成されている。ＬＥＤ用開口部２３１は、ダイボンディング部２２１を露出させる矩形状とされている。３つのＬＥＤチップ２４０は、たとえば赤色光、緑色光、および青色光を発光するものであり、リード２２０に直列に搭載されている。各ＬＥＤチップ２４０は、ダイボンディング部２２１に対してたとえば導電性樹脂ペーストによってダイボンディングされている。各ＬＥＤチップ２４０は、いわゆる１ワイヤタイプとして構成されている。なお、本実施形態では、ＬＥＤモジュール２１０がケース７１０の主走査方向ｘの一方端にのみ設けられる場合を例に挙げて説明したが、ケース７１０の主走査方向の一方端および他方端それぞれにＬＥＤモジュール２１０が設けられた構成としてもよい。
【００３８】
導光体２７０は、ＬＥＤモジュール２１０からの光を主走査方向ｘに延びる線状光に変換するためのものであり、たとえば、ＰＭＭＡ（ポリメタクリル酸メチル）などの透明なアクリル樹脂からなる。導光体２７０は、断面略長矩形状で主走査方向ｘに長く延びる柱状であり、図３、図４に示すように、入射面２７１、反射面２７２、および出射面２７３を有している。
【００３９】
図４に示すように、入射面２７１は、ＬＥＤモジュール２１０からの光を導光体２７０内に導入するための面であり、導光体２７０の主走査方向ｘの一端面によって構成されている。入射面２７１は、主走査方向ｘにおいて３つのＬＥＤチップ２４０と正対している。反射面２７２は、主走査方向ｘに細長く延びる面であり、図３における導光体２７０の左側面部および上下両面部に形成されている。反射面２７２は、入射面２７１から入射した後に導光体２７０内を進行してきた光を反射する面である。反射面２７２の構成としては、微細な凹凸が形成された面、白色塗料が塗布された面、などが挙げられる。出射面２７３は、主走査方向ｘに細長く延びる面であり、本実施形態においては、導光体２７０の右側面部に形成されている。反射面２７２によって反射された光は、出射面２７３から主走査方向ｘに延びる線状光として出射される。
【００４０】
リフレクタ２８０は、導光体２７０をＬＥＤモジュール２１０に対して位置決めする機能と、導光体２７０から不当に光が漏れてしまうことを防止する機能とを果たすものであり、たとえば白色樹脂からなる。リフレクタ２８０は、図３に示すように、導光体２７０のうち反射面２７２が形成された部分をほぼ全長にわたって囲む形状とされている。リフレクタ２８０は、ケース７１０の凹部７１２に収容されており、ケース７１０に対して、たとえば接着剤によって固定されている。このような構成により、導光体２７０の出射面２７３から出射される線状光は、ケース７１０の凹部７１２を通過して副走査方向一方ｙ１側へ進行する。本実施形態では、凹部７１２において表面が露出する部分は、たとえば白色塗料が塗布されるなどにより、光反射率が高くなっている。これにより、図３に示すように、導光体２７０の出射面２７３からの出射光の一部は、凹部７１２において反射し、透明板８００を通過した後、読み取り対象物Ｄｃに向かう。
【００４１】
透明板８００は、たとえばガラスなどの透明な材質からなり、主走査方向ｘに延びる長矩形状の板材である。図３に示すように、透明板８００は、厚さ方向ｚにおける読み取り対象物Ｄｃ寄りに位置し、収容体７００の開口部７０１を覆っている。本実施形態において、透明板８００は、厚さ方向ｚに直交する面に対して傾斜している。具体的には、透明板８００は、光源ユニット２００から副走査方向一方ｙ１側に離れるほど厚さ方向ｚにおいて読み取り対象物Ｄｃから離れるように傾いている。本実施形態では、透明板８００は、厚さ方向ｚに直交する面に対して４５°傾斜している。透明板８００は、ケース７１０に対して、たとえば接着剤によって固定されている。
【００４２】
反射鏡７２０は、本発明でいう第１反射鏡に相当し、主走査方向ｘに長く延びる長矩形板状の平面鏡である。図３に示すように、反射鏡７２０は、反射面７２１を有している。反射面７２１は、本発明でいう第１反射面に相当し、光源ユニット２００から発せられたのちに読み取り対象物Ｄｃによって反射された光を副走査方向ｙに向けて反射する。反射面７２１は、厚さ方向ｚに直交する面に対して傾斜している。具体的には、反射面７２１は、レンズユニット４００から副走査方向一方ｙ１側に離れるほど厚さ方向ｚにおいて読み取り対象物Ｄｃに近づくように傾いている。本実施形態では、反射面７２１は、厚さ方向ｚに直交する面に対して４５°傾斜している。反射鏡７２０は、ケース７１０に対して、たとえば接着剤によって固定されている。反射鏡７２０における反射面７２１と反対側の面は、ケース７１０の外部に露出している。
【００４３】
図３に示すように、本実施形態では、反射鏡７２０における副走査方向一方ｙ１側の端部と、透明板８００における副走査方向一方ｙ１側の端部とは、当接している。
【００４４】
レンズユニット４００は、反射鏡７２０の反射面７２１によって反射された後に副走査方向ｙに沿って進行してきた光を透過させるものであり、複数のロッドレンズとこれらのロッドレンズを収容するたとえば樹脂製のケースからなる。これらのロッドレンズは、読み取り対象物Ｄｃに記載された像をセンサＩＣ５００に正立等倍に結像させる構成とされている。ロッドレンズ（レンズユニット４００）の光軸は、副走査方向ｙに沿うとともに主走査方向ｘに対して直角であり、反射鏡７２０と交差している。
【００４５】
図３から理解されるように、本実施形態においては、レンズユニット４００の光の入射側（副走査方向一方ｙ１側）の部分は、厚さ方向ｚ視において反射鏡７２０と重なっている。また、レンズユニット４００の光の入射側の部分は、厚さ方向ｚ視において透明板８００と重なっている。
【００４６】
センサＩＣ５００は、受けた光を電気信号に変換する光電変換機能を具備する素子であり、基板６００に搭載されている。センサＩＣ５００は、主走査方向ｘに配列された複数の受光面（図示略）を有している。この受光面には、読み取り対象物Ｄｃによって反射された光がレンズユニット４００を透過した後に結像される。
【００４７】
次に、イメージセンサモジュール１０１の作用について説明する。
【００４８】
本実施形態によれば、図３に示すように、読み取り対象物Ｄｃによって反射された光は、反射面７２１によって副走査方向ｙに向けて反射させられる。これにより、読み取り対象物ＤｃからセンサＩＣ５００に至る光路が屈曲しており、レンズユニット４００を透過する部分は、副走査方向ｙに沿っている。このため、読み取り対象物ＤｃからセンサＩＣ５００に至る光路のうち副走査方向ｙに沿う部分の長さを長くしても、イメージセンサモジュール１０１（ケース７１０）の厚さ方向ｚの寸法が増大するのを回避することができる。また、読み取り対象物ＤｃからセンサＩＣ５００に至る光路を長くすることにより、透明板８００から読み取り対象物Ｄｃまでの距離に多少のばらつきが生じても、明瞭な画像の読み取りを行うことができる。
【００４９】
光源ユニット２００とレンズユニット４００とは、厚さ方向ｚにおいて並んで配置されており、レンズユニット４００を透過した光は、副走査方向ｙに沿って進行し、センサＩＣ５００に到達する。これにより、読み取り対象物ＤｃからセンサＩＣ５００に至る光路を長くするためにレンズユニット４００からセンサＩＣ５００までの距離を長くする場合であっても、ケース７１０の厚さ方向ｚの寸法は実質的に変更する必要がない。このような構成は、ケース７１０（イメージセンサモジュール１０１）の厚さ方向ｚの寸法が増大するのを回避しつつ、明瞭な画像の読み取りを行うのに適する。
【００５０】
レンズユニット４００は、厚さ方向ｚに直交する面に対して傾斜する反射鏡７２０に近接しており、厚さ方向ｚ視において反射鏡７２０と重なる部分を有する。このような構成によれば、レンズユニット４００とセンサＩＣ５００との距離を長くしつつ、イメージセンサモジュール１０１の副走査方向ｙにおける寸法の増大を抑制することができる。このことは、イメージセンサモジュール１０１の小型化に適している。
【００５１】
反射鏡７２０において、反射面７２１と反対側の面は、ケース７１０の外部に露出している。このような構成によれば、ケース７１０に取り付けられる反射鏡７２０の配置の調整をイメージセンサモジュール１０１の外部から行うことができ、たとえば反射鏡７２０の角度調整を容易に行うことが可能となる。
【００５２】
反射面７２１（反射鏡７２０）は、レンズユニット４００から副走査方向一方ｙ１側に離れるほど厚さ方向ｚにおいて読み取り対象物Ｄｃに近づくように傾斜している。透明板８００は、イメージセンサモジュール１０１における副走査方向一方ｙ１寄りに配置されており、光源ユニット２００から副走査方向一方ｙ１側に離れるほど厚さ方向ｚにおいて読み取り対象物Ｄｃから離れるように傾斜している。このため、反射鏡７２０と透明板８００とは、副走査方向一方ｙ１側に向かうほど互いが近づく先細り状となっており、副走査方向一方ｙ１側の端部どうしが当接している。
【００５３】
このような構成によれば、たとえば次のような使用が可能となる。図５に示すように、たとえば分厚い書籍の見開き部など読み取り対象物Ｄｃが屈曲している場合において、その屈曲部の近傍に対して透明板８００が略平行となるように配置する。これにより、読み取り対象物Ｄｃにおける見開き部近傍（屈曲部近傍）の記載内容を読み取ることができる。
【００５４】
図６〜図１０は、本発明に係るイメージセンサモジュールの他の実施形態を示している。なお、これらの図において、上記実施形態と同一または類似の要素には、上記実施形態と同一の符号を付しており、適宜説明を省略する。
【００５５】
図６は、本発明の第２実施形態に係るイメージセンサモジュールを示している。本実施形態のイメージセンサモジュール１０２は、反射鏡７２０の厚さ方向ｚに直交する面に対する傾斜角度および透明板８００の厚さ方向ｚに直交する面に対する傾斜角度が、それぞれ上記実施形態と異なっている。本実施形態において、反射鏡７２０の厚さ方向ｚに直交する面に対する傾斜角度は、２２，５°であり、透明板８００の厚さ方向ｚに直交する面に対する傾斜角度は、２２．５°である。これにより、主走査方向ｘ視において反射鏡７２０と透明板８００とのなす角度は、鋭角（本実施形態では４５°）である。
【００５６】
本実施形態において、レンズユニット４００の全体は、厚さ方向ｚ視において透明板８００と重なっている。
【００５７】
本実施形態においては、ケース７１０の内部において、センサＩＣ５００が収容される空間と導光体２７０が収容される空間とが区画されている。このため、光源ユニット２００は、リフレクタを具備していない。導光体２７０の反射面２７２は、ケース７１０および基板６００によって囲われている。ケース７１０および基板６００における反射面２７２を囲う部位は、たとえば白色塗料が塗布されるなどにより、光反射率が高くなっている。
【００５８】
本実施形態のイメージセンサモジュール１０２においては、レンズユニット４００からセンサＩＣ５００までの距離が上記実施形態のイメージセンサモジュール１０１と比べて大きい。したがって、イメージセンサモジュール１０２は、明瞭な画像の読み取りを行うのにより適している。
【００５９】
イメージセンサモジュール１０２は、主走査方向ｘ視において、反射鏡７２０と透明板８００とのなす角度が鋭角（本実施形態では４５°）である。このような構成によれば、図７に示すように、読み取り対象物Ｄｃが屈曲している場合において、当該屈曲部近傍の記載内容を適切に読み取ることができる。
【００６０】
図８は、本発明の第３実施形態に係るイメージセンサモジュールを示している。本実施形態のイメージセンサモジュール１０３は、光源ユニット２００とレンズユニット４００の配置が上記実施形態のイメージセンサモジュール１０１，１０２と異なっている。本実施形態において、光源ユニット２００は、厚さ方向ｚにおいてレンズユニット４００よりも読み取り対象物Ｄｃから離れた位置にある。換言すると、レンズユニット４００は、光源ユニット２００よりも読み取り対象物Ｄｃに近い位置に配置されている。
【００６１】
本実施形態において、導光体２７０は、断面略円形状で主走査方向ｘに略一様に延びている。反射面２７２および出射面２７３は、それぞれ断面円弧状である。リフレクタ２８０は、断面円弧状の内周面を有し、この内周面が導光体２７０の反射面２７２を囲っている。
【００６２】
本実施形態において、透明板８００は、厚さ方向ｚに対して直角となるように設けられている。透明板８００における副走査方向一方ｙ１側の端部と、反射鏡７２０における副走査方向一方ｙ１側の端部とは、当接している。レンズユニット４００の光の入射側（副走査方向一方ｙ１側）の部分は、厚さ方向ｚ視において、透明板８００および反射鏡７２０と重なっている。
【００６３】
反射面７２１（反射鏡７２０）は、副走査方向ｙに対して４５°傾斜している。反射鏡７２０は、ケース７１０（イメージセンサモジュール１０３）の厚さ方向ｚの略全域にわたって設けられている。このようなことから理解されるように、光源ユニット２００（導光体２７０）は、副走査方向ｙ視において反射面７２１と重なっている。そして、図８に示されるように、光源ユニット２００（導光体２７０）から発せされる光は、反射面７２１によって読み取り対象物Ｄｃに向けて反射される。
【００６４】
本実施形態のイメージセンサモジュール１０３においては、光源ユニット２００とレンズユニット４００とは、厚さ方向ｚにおいて並んで配置されている。読み取り対象物Ｄｃおよび反射面７２１によって反射し、レンズユニット４００を透過した光は、副走査方向ｙに沿って進行し、センサＩＣ５００に到達する。これにより、読み取り対象物ＤｃからセンサＩＣ５００に至る光路を長くするためにレンズユニット４００からセンサＩＣ５００までの距離を長くしても、ケース７１０の厚さ方向ｚの寸法は実質的に変更する必要がない。このような構成は、ケース７１０（イメージセンサモジュール１０３）の厚さ方向ｚの寸法が増大するのを回避しつつ、明瞭な画像の読み取りを行うのに適する。
【００６５】
また、イメージセンサモジュール１０３において、レンズユニット４００は、厚さ方向ｚにおいて読み取り対象物Ｄｃから近い位置にある。このような構成によれば、読み取り対象物Ｄｃによって反射した光は、透明板８００における副走査方向一方ｙ１側の先端付近を透過し、反射面７２１によって反射した後に、レンズユニット４００に向かう。したがって、イメージセンサモジュール１０３によれば、図９に示すように、読み取り対象物Ｄｃが屈曲している場合において、当該屈曲部により近い部分の記載内容を適切に読み取ることができる。
【００６６】
図１０は、本発明の第４実施形態に係るイメージセンサモジュールを示している。本実施形態のイメージセンサモジュール１０４は、反射鏡７３０を備える点において、上記実施形態のイメージセンサモジュール１０３と大きく異なっている。
【００６７】
反射鏡７３０は、主走査方向ｘに長く延びる長矩形板状の平面鏡であり、本発明でいう第２反射鏡に相当する。反射鏡７３０は、反射面７３１を有している。反射鏡７３０（反射面７３１）は、厚さ方向ｚにおいて反射鏡７２０（反射面７２１）よりも読み取り対象物Ｄｃから離れた位置にある。反射面７３１は、副走査方向一方ｙ１側において反射面７２１と当接している。また、反射面７３１は、副走査方向ｙ視において光源ユニット２００（導光体２７０）と重なっている。
【００６８】
反射面７３１は、光源ユニット２００（導光体２７０）から副走査方向一方ｙ１側に離れるほど、厚さ方向ｚにおいて読み取り対象物Ｄｃに近づくように、厚さ方向ｚに直交する面に対して傾斜している。本実施形態では、反射面７３１は厚さ方向ｚの直交面に対して２２．５°傾斜しており、厚さ方向ｚの直交面に対する反射面７３１の傾斜角度は、厚さ方向ｚの直交面に対する反射面７２１の傾斜角度よりも小さい。反射面７３１は、光源ユニット２００（導光体２７０）から発せられる光を読み取り対象物Ｄｃに向けて反射し、本発明でいう第２反射面に相当する。
【００６９】
反射鏡７３０は、ケース７１０に対して、たとえば接着剤によって固定されている。反射鏡７３０における反射面７３１と反対側の面は、ケース７１０の外部に露出している。レンズユニット４００は、厚さ方向ｚ視において反射鏡７３０（反射面７３１）と重なっている。
【００７０】
本実施形態のイメージセンサモジュール１０４においては、上記実施形態のイメージセンサモジュール１０３に関して上述したのと同様の作用を奏することができる。
【００７１】
さらに、イメージセンサモジュール１０４は、反射面７２１とは傾斜角度が異なる反射面７３１を備える。このような構成によれば、反射面７３１（反射鏡７３０）によって、光源ユニット２００から発せられる光を読み取り対象物Ｄｃの所望の位置に向けて反射させることができる。また、反射鏡７３０において、反射面７３１と反対側の面は、ケース７１０の外部に露出している。このような構成によれば、反射鏡７３０の角度調整をイメージセンサモジュール１０４の外部から容易に行うことが可能となる。
【００７２】
本発明に係るイメージセンサモジュールは、上述した実施形態に限定されるものではない。本発明に係るイメージセンサモジュールの各部の具体的な構成は、種々に設計変更自在である。
【符号の説明】
【００７３】
ｘ        主走査方向
ｙ        副走査方向（第１方向）
ｙ１      副走査方向一方（第１方向一方）
ｙ２      副走査方向他方（第１方向他方）
ｚ        厚さ方向（第２方向）
Ｄｃ      読み取り対象物
１０１，１０２，１０３，１０４  イメージセンサモジュール
２００    光源ユニット
２１０    ＬＥＤモジュール
２２０    リード
２２１    ダイボンディング部
２２２    端子部
２３０    ＬＥＤケース
２３１    ＬＥＤ用開口部
２４０    ＬＥＤチップ
２７０    導光体
２７１    入射面
２７２    反射面
２７３    出射面
２８０    リフレクタ
４００    レンズユニット
５００    センサＩＣ
６００    基板
７００    収容体
７０１    開口部
７１０    ケース
７１１    基板収容部
７１２    凹部
７２０    反射鏡（第１反射鏡）
７２１    反射面（第１反射面）
７３０    反射鏡（第２反射鏡）
７３１    反射面（第２反射面）
８００    透明板
【図１】
2015103843.tif 000003
【図２】
2015103843.tif 000004
【図３】
2015103843.tif 000005
【図４】
2015103843.tif 000006
【図５】
2015103843.tif 000007
【図６】
2015103843.tif 000008
【図７】
2015103843.tif 000009
【図８】
2015103843.tif 000010
【図９】
2015103843.tif 000011
【図１０】
2015103843.tif 000012